【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
複数時相の心筋の画像を記憶する記憶手段と、
前記各時相のうち、単一のシード時相の心筋の画像から初期輪郭を抽出する抽出手段と、
前記各時相の心筋の画像に基づき、当該各時相間の心筋各点の移動ベクトルを推定する推定手段と、
前記初期輪郭から前記各時相間の移動ベクトルを用いて各時相の輪郭を追跡する追跡手段と、
前記各時相毎に、前記心筋の画像と前記輪郭とを比較して当該輪郭の評価値を算出し、当該各時相毎の評価値に基づいて、全時相の輪郭の総合評価値を算出する評価手段と、
前記総合評価値が悪い値の場合、追跡される輪郭を最適化するように前記初期輪郭を修正してから、前記追跡手段及び前記評価手段を再実行する修正手段と、
前記総合評価値が良い値の場合、前記各時相毎に、前記心筋の画像に前記輪郭を重畳表示する重畳表示手段と、
前記重畳表示された各時相の輪郭に基づいて、前記心筋の形状に関するパラメータ及び当該心筋の動きに関するパラメータを算出及び表示する算出手段と、
を備えたことを特徴とする医用画像処理装置。
【請求項２】
複数時相の心筋の画像を記憶する記憶手段と、
前記各時相のうち、２つ以上のシード時相の心筋の画像から各々の初期輪郭を抽出する抽出手段と、
前記各時相の心筋の画像に基づき、当該各時相間の心筋各点の移動ベクトルを推定する推定手段と、
前記各々の初期輪郭から前記各時相間の移動ベクトルを用いて各時相の輪郭を追跡することにより、前記各時相毎に、前記各々の初期輪郭と同数の各々の輪郭を得る追跡手段と、
前記各時相毎に、前記心筋の画像と前記各々の輪郭とを比較して当該各々の輪郭の評価値を算出し、当該各時相毎の各々の輪郭の評価値に基づいて、全時相の各々の輪郭の総合評価値を算出する評価手段と、
前記総合評価値が悪い値の場合、追跡される輪郭を最適化するように当該総合評価値に対応する前記初期輪郭を修正してから、前記追跡手段及び前記評価手段を再実行する修正手段と、
前記総合評価値が良い値の場合、前記各時相毎に、前記各々の輪郭から当該時相の輪郭を選択又は作成する手段と、
前記各時相毎に、前記選択又は作成された輪郭を当該時相の心筋の画像に重畳表示する重畳表示手段と、
前記重畳表示された各時相の輪郭に基づいて、前記心筋の形状に関するパラメータ及び当該心筋の動きに関するパラメータを算出及び表示する算出手段と、
を備えたことを特徴とする医用画像処理装置。
【請求項３】
複数時相の心筋の画像を記憶する記憶手段と、
前記各時相のうち、２つ以上のシード時相の心筋の画像から各々の初期輪郭を抽出する抽出手段と、
前記各時相の心筋の画像に基づき、当該各時相間の心筋各点の移動ベクトルを推定する推定手段と、
前記各々の初期輪郭から前記各時相間の移動ベクトルを用いて全時相の輪郭を追跡することにより、前記各時相毎に、前記各々の初期輪郭と同数の各々の輪郭を得る追跡手段と、
前記各時相毎に、前記心筋の画像と前記各々の輪郭とを比較して当該各々の輪郭の評価値を算出する評価手段と、
前記各シード時相毎に、当該初期輪郭と前記各々の輪郭とを比較して当該各々の輪郭の追加評価値を算出する追加評価手段と、
前記各時相毎の各々の輪郭の前記評価値及び前記追加評価値に基づいて、全時相の各々の輪郭の総合評価値を算出する総合評価手段と、
前記総合評価値が悪い値の場合、追跡される輪郭を最適化するように当該総合評価値に対応する前記初期輪郭及び／又は前記移動ベクトルを修正してから、前記追跡手段、前記評価手段、前記追加評価手段及び前記総合評価手段を再実行する修正手段と、
前記総合評価値が良い値の場合、前記各時相毎に、前記各々の輪郭から当該時相の輪郭を選択又は作成する手段と、
前記各時相毎に、前記選択又は作成された輪郭を当該時相の心筋の画像に重畳表示する重畳表示手段と、
前記重畳表示された各時相の輪郭に基づいて、前記心筋の形状に関するパラメータ及び当該心筋の動きに関するパラメータを算出及び表示する算出手段と、
を備えたことを特徴とする医用画像処理装置。
【請求項４】
複数時相の心筋の画像を記憶する記憶手段と、
前記各時相のうち、少なくとも１つのシード時相の心筋の画像から初期輪郭を抽出する抽出手段と、
前記各時相の心筋の画像に基づき、当該各時相間の心筋各点の移動ベクトルを推定する推定手段と、
前記初期輪郭から前記各時相間の移動ベクトルを用いて各時相の輪郭を追跡する追跡手段と、
前記各時相毎に、前記心筋の画像と前記輪郭とを比較して当該輪郭の評価値を算出し、当該各時相毎の評価値に基づいて、全時相の輪郭の総合評価値を算出する評価手段と、
前記総合評価値が悪い値の場合、追跡される輪郭を最適化するように前記初期輪郭を修正してから、前記追跡手段及び前記評価手段を再実行する修正手段と、
前記総合評価値が良い値の場合、前記各時相毎に、前記心筋の画像に前記輪郭を重畳表示する重畳表示手段と、
前記重畳表示された各時相の輪郭に基づいて、前記心筋の形状に関するパラメータ及び当該心筋の動きに関するパラメータを算出及び表示する算出手段と、
を備え、
前記評価手段は、
前記各時相毎に、前記心筋の画像と前記輪郭とを比較し、両者の差がしきい値より大きい部分を検出する手段と、
前記部分が心臓の構造に違反しない場合、当該部分の大きさに応じて悪い値を表す第１ペナルティ値を前記評価値として算出する手段と、
前記部分が前記構造に違反する場合、当該部分の大きさに応じて、前記第１ペナルティ値よりも更に悪い値を表す第２ペナルティ値を前記評価値として算出する手段と、
を含んでいる医用画像処理装置。
【請求項５】
請求項１乃至請求項４のいずれか１項に記載の医用画像処理装置において、
前記修正手段は、
操作者による初期輪郭の修正指示を受け付ける手段と、
前記受け付けた修正指示に応じて、前記修正を実行する手段と、
前記修正の実行中、前記動きに関するパラメータを非表示にする手段と
を備え、
前記評価手段は、修正前の初期輪郭と操作者による修正後の初期輪郭との差に基づいて前記評価値を算出する手段を備えた医用画像処理装置。
【請求項６】
請求項１乃至請求項５のいずれか１項に記載の医用画像処理装置において、
前記評価手段は、前記心筋の画像上の輪郭と前記追跡された輪郭とに差があるとき、前記追跡された輪郭が心臓の構造に違反しない場合に比べ、当該追跡された輪郭が前記構造に違反する場合をより悪い値にするように前記評価値を算出する医用画像処理装置。
【請求項７】
複数時相の心筋の画像を記憶する記憶手段と、
前記複数時相のうちの第１シード時相および第２シード時相に対して、心筋の画像へ初期輪郭を設定する設定手段と、
前記複数時相の心筋の画像に基づき、当該複数時相間の心筋各点の移動ベクトルを推定する推定手段と、
前記第１及び第２シード時相における初期輪郭について、前記移動ベクトルを用いて各時相の輪郭を追跡することで前記各時相における追跡輪郭を設定する追跡手段と、
前記追跡手段が第１シード時相の初期輪郭に基づいて求めた所定の時相における第１追跡輪郭と、前記追跡手段が第２シード時相の初期輪郭に基づいて求めた前記所定の時相における第２追跡輪郭とを合成することで、前記所定の時相における合成輪郭を求める合成手段と、
前記合成輪郭に基づいて、前記心筋の形状に関するパラメータまたは前記心筋の動きに関するパラメータを算出する算出手段と、
を備えたことを特徴とする医用画像診断装置。
【手続補正２】
【補正対象書類名】明細書
【補正対象項目名】発明の名称
【補正方法】変更
【補正の内容】
【発明の名称】医用画像処理装置および医用画像診断装置
【手続補正３】
【補正対象書類名】明細書
【補正対象項目名】０００１
【補正方法】変更
【補正の内容】
【０００１】
本発明の実施形態は、医用画像処理装置および医用画像診断装置に関する。
【手続補正４】
【補正対象書類名】明細書
【補正対象項目名】００１５
【補正方法】変更
【補正の内容】
【００１５】
目的は、複数時相の心筋の画像に基づき、心筋の動きに関するパラメータ及び心筋の形状に関するパラメータをそれぞれ高精度に算出し得る医用画像処理装置および医用画像診断装置を提供することである。